(57)【要約】作動装置であって、装置が手の指によって作動可能でありかつディスプレイスクリーンを設けられるかまたは遠く離れたディスプレイスクリーンと通信する機能的装置における機能の制御のために設計された前記作動装置。作動装置は、制御要素および指上に設置するために設計されまた同じ手の他の指を使用することによる前記制御要素の操作のために設計された取付けリングを有する。
2004511864.tif 000002
【特許請求の範囲】
【請求項１】
作動装置であって、該装置が手の指によって作動可能でありかつディスプレイスクリーンを具備するかまたは遠く離れたディスプレイスクリーンと通信する機能的装置での機能の制御のために設計された作動装置において、
該作動装置が、制御要素、および指に設置されるために設計されかつ同じ手の他の指を使用することによって前記制御要素を操作するために設計された取付けリング、を有することを特徴とする作動装置。
【請求項２】
作動装置の制御要素が、
ａ）傾斜および／または圧下機能を有する段階的に移動可能な摺動キー、
ｂ）圧下機能および／または中心位置偏倚機能を有する段階的に回転可能なキー、
ｃ）圧下機能を有しかつ中心位置偏倚機能を有する非回転キーを取り巻く段階的に回転可能なリング部材、
ｄ）側方に傾斜可能でかつ圧下可能な回転可能なホイールまたはローラ、
ｅ）制御要素の接触面上の容量センサ、
ｆ）その両側に設置されたキーを有する回転可能なホイールまたはローラ、
ｇ）その両側に設置されたキーを有する直進的に移動可能な中心位置偏倚キー、
ｈ）任意にその両側にキーを設置された、傾斜スイッチまたは摺動スイッチ、
ｉ）ｘ／ｙまたはｘ／ｙ／ｚ方向に傾斜可能なスイッチ、
を構成するグループから選択されることを特徴とする請求項１に記載された作動装置。
【請求項３】
作動装置であって、該装置が手の指によって作動可能でありかつディスプレイスクリーンを具備するかまたは遠く離れたディスプレイスクリーンと通信する機能的装置での機能の制御のために設計された作動装置において、
該作動装置が、制御要素、および自動車の作動本体、たとえば操向ホイール、操向コラムハンドル、歯車レバー、ハンドルバーなどのの形式の作動本体上に設置されるために設計された取付けリングを有し、制御要素が作動本体と接触する手の指を使用することにより操作するために設計されたことを特徴とする作動装置。
【請求項４】
制御要素が取付けリングに対して側方に傾斜可能であること、制御要素が取付けリングの周りに回転可能なホイールまたはローラよりなることを特徴とする請求項１，２または３のいずれか一項に記載された作動装置。
【請求項５】
作動装置が機能的装置と無線通信することを特徴とする請求項１，２，４または４のいずれか一項に記載された作動装置。
【請求項６】
作動装置が機能的装置とマイクロプロセッサを介して無線通信することを特徴とする請求項１から５までのいずれか一項に記載された作動装置。
【請求項７】
作動装置が機能的装置と無線通信するための装置を含むか、または好適には使用者の腕に設置される、装置に接続されることを特徴とする請求項１，２および４から６までのいずれか一項に記載された作動装置。
【請求項８】
作動装置が使用者の指に対する調節のため異なったサイズのリングライニングを備え得るように設計されることを特徴とする請求項１，２および４から７のいずれか一項に記載された作動装置。
【請求項９】
取付けリングがホイール本体またはレバーの特別の断面寸法に対する調節のため異なったサイズのリングライニングを備え得るように設計されることを特徴とする請求項３から７までのいずれか一項に記載された作動装置。
【発明の詳細な説明】
【０００１】
（技術分野）
本発明は、作動装置であって、この装置が手の指によって作動可能でかつディスプレイスクリーンを具備するかまたは遠く離れたディスプレイスクリーンと通信する機能的装置において機能を制御するようにされた作動装置に関するものである。
【０００２】
（背景技術）
コンピュータの機能制御のために、ディスプレイスクリーン上において制御可能であり、新しい機能を作動し、プログラムを閉鎖し、調節の実施を助けることなどが可能であるポインタまたはカーソルに接続されたいわゆるマウスを使用することは、従来公知である。この種の作動装置は、コンピュータにケーブルを介して接続されるかまたはコンピュータに無線で接続される。そのようなマウス装置の使用は、しばしば不愉快な手首の緊張により、また腕および肩における他の筋肉の問題をも発生する手首のトンネルシンドロームを生ずる。さらに、そのようなマウスの使用は、通常のキーポードとマウスの間をつねに移動するためマウスを手で作動することを必要とし、そのことはコンピュータ操作の効率を低下するばかりでなく、大部分の時間手がキーポード上にある作業を阻害する。
【０００３】
他の関係において、使用者の手に保持されなければならずまた使用者の手の一本の指が装置の多数の機能キーを作動する作動装置も公知である。
【０００４】
（発明の目的）
それゆえ、本発明の目的は、制御装置ならびにディスプレイスクリーンを設けられるかまたは遠く離れたディスプレイスクリーンに通信する機能的装置と接続されたナビゲーション装置に使用可能な多機能作動装置を得ることにある。
【０００５】
（発明の開示）
本発明によれば、装置は第１実施例において、作動装置が制御要素および指の上に設置するために設計され、かつ同じ手の他の指を使用することによって前記制御要素を操作するために設計された取付けリングを有することを特徴としている。
【０００６】
作動装置が自動車において使用するためのものである第２実施例において、それは制御要素および自動車の操向ホイール本体または自動車の作動レバーに設置されるように設計された取付けリングを有し、制御要素は操向ホイールまたはレバーを保持する手の指を使用して操作するように設計されている。
【０００７】
前記作動装置の他の実施例は、特許請求の範囲の記載および添付図面を参照する下記の説明から明らかになるであろう。
【０００８】
（発明を実施するための最良の形態）
図１から３は作動装置を示し、装置１は手２の指によって作動可能であり、作動装置は指３たとえば人指し指に装着され、手の親指３′によって作動可能である。作動装置は制御要素５および作動装置を指３に設置可能にする取付けリング６を有する。作動装置のサイズは、どれだけ多くの電子装置が設置されることを望まれるかに必然的に依存するであろう。たとえば、定置式コンピュータに使用するための実施例においては永久的導線が許されるが、周知のように、マウスとたとえばコンピュータとの間の無線接続も今日すでに広く使用されている。小型装置用無線技術は、急速に進歩しており、作動装置と制御されるべき装置との間の接続用の別の装置でありうる第１のそして最初の“ブルーツース”技術である。
【０００９】
図４から９は、一層詳細に作動装置の第１実施例を示す。制御要素５は、同時に作動装置用取付けリングを形成するリング部材６の周りを両方向に回転し得るように設計されている。制御要素５は、両側に傾斜または圧下可能であり、また制御要素の中心に向かっても押圧可能である。傾斜および圧下はスイッチ部分全体の周りに実施可能である。リング部材６と制御要素５との間には、制御要素５の回転ならびにその傾斜および／または圧下を検出可能であるための電流の通路を含む回路板７が存在する。制御要素５は、通常の位置においてまた回転の際接触通路８，８′と接触する接触突起４，４′を有する。ばね負荷接点９は、制御要素５の電流通路の一つが、図４および図６の双方に示されたように、リング部材６の位置１０の間で切られることにおいて、制御要素５の回転を検出する。
【００１０】
図４から理解されるように、ボール９は電流輸送体である。図８に略示されているように、制御要素５の直接圧下の際、接触接続１１は、電流輸送体であるばね負荷ボール１２と電気的接触を形成するであろう。制御要素５の段階的移動は、この場合、制御要素５の中央部分における段階的凹所１０に係合するであろうばね負荷ボール９，１２の助けによって実施可能である。制御要素５の段階的移動は、もちろん、自体公知である（図示されない）適当な記録装置によって、作動装置が操作されるとき使用者がディスプレイスクリーンを設けられた機能的装置を見ている間、容易に検出されるであろう。上記のように機能的要素は、ディスプレイスクリーンを設けられるかまたは遠く離れたディスプレイスクリーンと通信することができる。
【００１１】
制御要素５を側方に傾斜させることは、突起４，４′が電流通路１３，１３′の一方または他方と接触する結果を生ずる。このことは図７から明らかに分かるであろう。また、この位置において選択的機能の任意の確認のため制御要素５を圧下することも可能であり、このことは図８に一層詳細に示されている。もし制御要素５が、図４および５に示されているように、中心位置にあり、そしてこの中心位置において圧下されるならば、接触接点１１は接触ボール１２との電気的接触を形成し、一方接触突起４，４′は接触通路８，１３ならびに８′，１３′と接触せしめられるであろう。制御要素５のすべての傾斜運動は、作動点からほぼ１８０°の旋回点を有する。作動が点１４において発生するとき、旋回点は矢印１５によって示された点から事実上１８０°にあるであろう。
【００１２】
取付けリングまたはリング部材６の適用は、ライニングが部材６の対応する切欠きに嵌着するピン６″を有する、図５に示されたような、交換可能なライニング６′を使用することによって実施可能である。
【００１３】
図１０から１５は、前記図４から９に示された作動装置の別の実施例である。
【００１４】
この場合、取付けリング１６の周りに両方向に回転可能であるように設計される制御要素５′が存在する。制御要素５′はばね１７，１７′の間で回転するように設計され、これらのばねはリングまたはリング部材１６に固定されている。制御要素５′内に設けられているものは、中でばねが走行する段階的溝である。段の数は変更可能であり、決して本発明の限界を画定するものと理解されるべきでない。段１８は、リング本体１６に嵌合され接触がばね２０を介して確立可能である回路板１９の接触点によって検出可能である。制御要素５′は、わずかに変形またはばね作用可能で、その中心において制御要素の全周の周りで、図１４に示されたように、中心に向かって押圧可能である材料の頂部５″を有する。このようにして、接触点２１および２２の間の接触が形成される（図１２参照）。頂部５″によって加えられるばね力は、それが制御要素５′の通常の回転の際またはその側方傾斜の際変形されないが、変形されるためその中心に向かう別の力を必要としそれゆえ点２１および２２の間に接触を確立する、ようなものである。点または要素２１および２２の間の接触の際、この接触の信号は、ばね２３を介して制御要素５′と接触する通路を介して与えられるであろう。傾斜運動は、ひずみゲージが回路板１９に連結される、ひずみゲージバー２４によって検出可能である。このようなひずみゲージバー２４は、きわめて感度がよく、もっともわずかな側方運動も容易に検出可能である。検出は、図１３に参照符号２５によって示されたように、接触点にもっとも有効に接近していることが必要であり、矢印２６によって示されたように、点２５から１８０°だけ偏倚した点において小さい効果を有するのみである。ひずみゲージバー２４は、リング本体１６の全周の周りに延長し、ある間隔たとえば６０°の間隔で離されている回路板上に設置されるであろう。
【００１５】
図５におけるように、この場合リング部材１６も、任意に徐々にテーパ付きの通孔２８を有するライニング２７を設けられている。交換可能なライニング２７はリング本体１６の対応する凹所１６′と係合するための小さい突起２７′を有する。
【００１６】
図１５には、どのようにしてひずみゲージバー２４が、制御要素５′が図１５に矢印によって示されたように、側方に傾斜されるとき作動され、それによりひずみゲージバー２４が図示のようにとくに一側からひずみをうけ、それにより不平衡を測定することがたとえば（図示されない）測定ブリッジに表示される、かを示している。
【００１７】
図１６に示されたように、作動装置が導線３０を介して機能的装置２９に接続可能であることが考えられる。図１７に示されたように、作動装置１と関連して、たとえばマイクロプロセッサ、動力源および機能的装置２９と通信するたとえば光学的、無線波ベースまたは他の無線通信用の信号伝達装置とすることのできる信号処理ユニット３１が接続されている。さらに、図１８に示されたように、作動装置１は、作動装置と機能的装置２９との間に満足な通信が発生することを許すように、たとえば、そのようなマイクロプロセッサ、動力源および無線信号伝達用装置３２と結合可能であることが考えられる。機能的装置２９は任意にコンピュータまたはそれ自体他の機能的装置とすることができる。
【００１８】
この種の機能的装置は、参照符号３３によって示されたようなディスプレイスクリーンを有することも必要である。作動装置の図示された実施例と関連して、作動装置と一体化されたマイクロプロセッサ、動力源および信号伝達装置のようなハードウェア設備は図示されていない。まず、たとえば図１から４にまた図４から９にそして図１０から１５に示された実施例のように、作動装置をできるだけ小さくすることが望ましい。しかしながら、一般的にたとえば実際の作動装置において参照符号３１によって示されたような装置の一体化は、それを指に装着することが便利でない装置のサイズの増大を伴うかも知れない。しかしながら、技術的進歩は迅速で小形化は数年でそのような解決法を可能にするかもしれない。機能的装置２９がパソコンであるとしても、勿論、機能的装置自体たとえば携帯電話、ＰＤＡ、自動車ダッシュボード上のディスプレイ３３の付属ディスプレイを有する電話、ラジオのような、用途の車内制御装置用装置とすることが考えられる。
【００１９】
図１２に示された解決法において、上記のようにマイクロプロセッサ、動力源および信号伝達装置を含む部材またはユニット３１は、図１３に示されたように、使用者の手首に任意に設置されることができる。ユニット３１とそのディスプレイスクリーン３３を備えた機能的装置２９との間の無線接続は、参照符号３４で示されている。この無線接続は、ブルーツース技術、光学的接続たとえばレーザー、またはユニット３１がトランスミッタ３１′を有し、信号受信機２９′が機能的装置２９上に設けられる他の無線技術を介して実施することができる。
【００２０】
図１９に示された解決法の主要な利点は、使用者が、コンピュータのディスプレイスクリーン３３上における“指示作業”を実施するためマウスを到達するため、たとえばキーボード３６から彼の手を離すことなしに、その処理においてつねに作動装置を持つであろう。
【００２１】
また作動装置１は、たとえば移動式電話を、多分とくに自動車を運転中制御するのに理想的であろうと考えられる。
【００２２】
前記図１から１５に関連して図示されかつ記載された実施例および図１６から１９に示されたその用途は現在好ましいものであるが、勿論作動装置の別の実施例を使用することも可能であり、それらの典型的な例の組合わせが一層詳細に記載されるであろう。
【００２３】
図２０および２１に示された作動装置および図２２におけるむしろ一層機能的な詳細は、参照符号３７によって全体的に指示されている。それは作動装置のスイッチを作動するように傾斜および／または圧下機能を有する段階的に移動可能な摺動キーの型式に作られる制御要素３８を有する。さらに、作動装置は使用者の手４１の指４０上に設置可能な取付けリング３９を有する。有利なのは、リングおよびそれゆえ作動装置３７が使用者の人指し指に装着され、一方リングはむしろ一層安定した方法で設置されるように使用者の中指４２に接触可能なくぼみ３９′を有することができる。前記のものは、もし制御要素が手の親指４３によって前後に動かされるならばとくに重要である。図１６，１７および１８に参照符号２９および３３によって示されたように、機能的装置への接続は、これらの図面に図示されかつ関連して記載され、さらに説明する必要のない同じ方法で実施可能である。
【００２４】
作動装置の基本的機能は、好適な実施例、ただし決して本発明を限定するものでない実施例における制御要素３８が、傾斜機能を備えることが可能であり、そこで摺動キー３８の型式の制御要素は前方または後方もしくは両側に傾斜可能であることが分かるであろう。そのような傾斜運動は、摺動キー３８の可能な段階的位置のそれぞれ一つにおいて実施可能である。また摺動キーは個々の位置において特殊な機能を奏するため中心方向に圧下可能である。それゆえ、実際上各段階位置において全部で５つの選択の間で選択するため作動装置を使用する可能性が存在する。
【００２５】
図２３から２５に示された実施例は、前記の作動装置と同様に作動装置が制御要素部分４５，４５′、および好適には使用者の人指し指４７に装着され、手４８の親指４９が制御要素部分４５，４５′を作動する位置にある取付けリングまたはリング本体４６を有することを示している。
【００２６】
便宜上前記リング４６は、リングが一層容易に使用者の中指５０に装着可能であるように、凹み４６′を有する。それゆえ、実際上作動装置はそれが使用者の親指４９により安定して操作される。
【００２７】
図２３から２５に示された解決法は、ディスプレイスクリーンにおけるカーソルの二次元的または三次元的制御にとくに適している。それゆえ、制御要素部分４５，４５′は中心位置偏倚機能を有する、すなわちその通常の中心位置に対するいかなるキーの側方運動も検出可能で、たとえばイコンをマークしかつ選択しまたはディスプレイスクリーンにおけるカーソル制御によって機能または他の作業を実施するため、ディスプレイスクリーン上の典型的なカーソルを制御する非回転式キー４５よりなっている。図２６において、この種の機能は矢印ｘ，ｙおよび、いくつかの平面における運動が含まれるならば任意にｚを追加して示される。しかしながらｘおよびｙの値に依存して、座標軸は図１６から１９のスクリーン３３のように、ディスプレイスクリーン上のカーソルの制御のために設けられる。
【００２８】
図示された実施例における非回転式キー４５は、たとえば円錐形の矢印４６，４６′，４６″，４６″′によって示された点のように、一定位置において圧下機能を有する段階的に回転可能なリング部材４５′によって囲まれている。リング部材４５の回転が検出可能であるため、別のメニュー、別のプログラム等を通して移動すること、および所望の機能を選択するため点４６，４６′，４６″または４６″′における所定の任意の圧下を使用することが可能であろう。前記圧下点４６から４６″′が回転可能なリング部材４５′の下に設置されたスイッチ機能に接続されていることがすぐ理解されるであろう。中心位置偏倚機能を有する非回転式キー４５は、ひずみゲージ型偏倚検出器を設けられるが、他のそのような偏倚検出も勿論可能である。
【００２９】
全部で４つの作動装置の変形が図示されかつ記載されたが、制御要素の接触面上にはさらに容量センサが存在するものと考えられる。この種の容量センサは、たとえば、図２５に参照符号４５″によって示されている。
【００３０】
他の図示されない解決法は、たとえば、その両側に設置されたキーを有する回転可能なホイールまたはローラを含んでいる。たとえば、図２を参照すると、制御要素５が両方向に廻転可能かつ圧下可能であるだけであること、および取付けリングの側方部分が、圧力スイッチとしてまたは任意にスイッチとしてもしくは容量変化センサとして設計されたキー５１，５２を設けられることが予想される。
【００３１】
図２０から２２に示された作動装置の変形として、これは任意に両側に設置された（図示されない）キーを有する直線的に移動可能なキーによって交換可能であるか、または傾斜スイッチまたは、任意に両側にキーを備えた摺動スイッチの形式に作られることができる。直線的に移動可能なキー、この種の傾斜スイッチまたは摺動スイッチは、中心位置偏倚機能を任意に有することができる。
【００３２】
そのもっとも簡単な形式において、制御要素はディスプレイスクリーン上のカーソルのｘ／ｙまたはｘ／ｙ／ｚ機能を制御するため傾斜可能なスイッチよりなることができ、ここにｚ機能は、たとえば、正確なｘ／ｙ座標を有するイコンの選択を開始することができる。
【００３３】
本発明の可能な変形において、その取付けリングを備えた作動装置は、たとえば、自動車の操向ホイール本体５３にまたは自動車作動レバー５４に取付け可能である。図２７において、作動装置は参照符号５５で示され、操向ホイールのリング本体５３′上に取付けられている。図２８において、作動装置は操向ホイールのスポークまたは横片５６，５６′上に取付けられている。さらに、これらの作動装置は、図示された例示的実施例において、図１から１５に示されかつ関連して記載されたような設計を有する。それゆえ、この場合作動装置取付けリング５８の周りに回転可能であり、また側方傾斜性に加えてその選択後に機能を作動するための圧下機能を有する回転可能なホイールまたはローラ５７が存在する。
【００３４】
図２７から２９に示されたような取付けリング５８は、その上に設置される操向ホイールまたはレバーの部分に直接適合するか、または所望の断面寸法または断面への適用に対して適当なリングライニングを設けられる。たとえば、自動車のある機能の制御のため、機能的装置への信号伝達は、たとえば図１６から１８に示されかつそれに関連して記載されたのと同じ方法で実施可能である。図１６に示された実施例において、たとえば参照符号２９は、自動車ダッシュボード上の機能的装置または他の作動制御装置、任意に音楽センタを示し、一方参照符号３３は、運転者のまたは乗客の視野に対して具合よく設置された大型または小型ディスプレイスクリーンを示す。参照符号３０によって示された導線は、任意にスリッブリングおよび操向支柱を通る接触接続を介して通常のように設けられる。また、たとえば機能装置との無線接続用ユニット３１を取付けることにより、図１７に略示された解決法を使用することも可能である。同様の解決法は図２９に関連して略示されている。
【００３５】
しかしながら、図２７，２８および２９に示された作動装置のサイズは、それが使用者の指に設置されるときのように厳密ではない。したがって、サイズは、たとえば図１８に関連して略示されたシステムエンジニヤリングが使用可能であるように、いくぶん拡大される。
【００３６】
図１から１５、図１９および図２０，２１および２４，２５はとくに異なった型の取付けリングを示しているが。これらの設計はそれらが任意に弾性的に変形する材料、湾曲可能な材料、とくに設計されたストラップファスナなどから任意に作ることができる。本質的原理は、作動装置が指の上に設置されることを意図するものであり、同じ手の別の指を使用することにより作動装置制御要素の操作を意図するものであることである。
【図面の簡単な説明】
【図１】
手に連結して使用される作動装置の一実施例の斜視図。
【図２】
手に連結して使用される作動装置の一実施例の端面図。
【図３】
手に連結して使用される作動装置の一実施例の斜視図。
【図４】
本発明による作動装置を通る縦断面図。
【図５】
図４と同じであるが、リングライニングを挿入された図。
【図６】
図４のＶＩ−ＶＩ線に沿う断面図。
【図７】
一側に向かって押された制御要素の部分を示す図。
【図８】
同時に圧下された制御要素を示す図４，図５の装置を示す図。
【図９】
図８のＩＸ−ＩＸ線に沿う断面図。
【図１０】
図４から図９までの変形例を示し、図１１のＸ−Ｘ線に沿った断面図。
【図１１】
図４から図９までの変形例を示し、図１０のＸＩ−ＸＩ線に沿った断面図。
【図１２】
図４から図９までの変形例を示し、図１３のＸＩＩ−ＸＩＩ線に沿った断面図。
【図１３】
図４から図９までの変形例を示し、図１３のＸＩＩＩ−ＸＩＩＩ線に沿った断面図。
【図１４】
図４から図９までの変形例を示し、作動装置上の制御要素の圧下と関連する詳細図。
【図１５】
図４から図９までの変形例を示し、作動装置上の制御要素の傾斜運動を示す図。
【図１６】
作動装置と機能要素、たとえば表示スクリーンを備えたＰＣ、との間の通信用のための別の解決方法を示す図。
【図１７】
作動装置と機能要素、たとえば表示スクリーンを備えたＰＣ、との間の通信用のための別の解決方法を示す図。
【図１８】
作動装置と機能要素、たとえば表示スクリーンを備えたＰＣ、との間の通信用のための解決方法を示す図。
【図１９】
例示として、本発明作動装置と、ディスプレイスクリーンを有するコンピュータ（ＰＣ）のような機能的装置との間の、無線接続の図。
【図２０】
作動装置の別の実施例を示す。
【図２１】
作動装置の別の実施例を示し、使用者の手に連結した装置を示す。
【図２２】
作動装置の別の実施例を示し、使用者の手に連結した装置を示す。
【図２３】
本発明による別の実施例を示し、手によって保持されかつ作動されるときの装置の図。
【図２４】
本発明による別の実施例を示し、手によって保持されかつ作動されるときの装置の図。
【図２５】
本発明による別の実施例の装置の斜視図。
【図２６】
本発明の別の実施例の装置の作動原理を示す図。
【図２７】
自動車の操向ホイールリング本体に連結して使用される本発明による装置の図。
【図２８】
自動車の操向ホイールの横アームに連結して使用される本発明による装置の図。
【図２９】
自動車作動レバーまたはハンドル、たとえば操向支柱ハンドル、歯車レバー、ハンドルバーなどに連結された作動装置の図。
【国際公開パンフレット】
2004511864.tif 000003
2004511864.tif 000004
2004511864.tif 000005
2004511864.tif 000006
2004511864.tif 000007
2004511864.tif 000008
2004511864.tif 000009
2004511864.tif 000010
2004511864.tif 000011
2004511864.tif 000012
2004511864.tif 000013
2004511864.tif 000014
2004511864.tif 000015
2004511864.tif 000016
2004511864.tif 000017
2004511864.tif 000018
2004511864.tif 000019
2004511864.tif 000020
2004511864.tif 000021
2004511864.tif 000022
2004511864.tif 000023
2004511864.tif 000024
2004511864.tif 000025
2004511864.tif 000026
2004511864.tif 000027
2004511864.tif 000028
【手続補正書】
【提出日】平成14年4月19日(2002.4.19)
【手続補正１】
【補正対象書類名】明細書
【補正対象項目名】特許請求の範囲
【補正方法】変更
【補正の内容】
【特許請求の範囲】
【請求項１】
使用者の手の一本の指によって作動可能でありかつディスプレイスクリーンを具備するかまたは遠く離れたディスプレイスクリーンと通信する機能的装置における機能の制御のために設計される作動装置であって、作動装置がリング本体および制御要素を有し、前記制御要素がリング本体の周辺区域の周りに回転可能に取付けられた回転可能なホイールまたはローラ本体として形成される作動装置において、前記制御要素が前記リング本体の周りに段階的に移動可能であり、前記制御要素がリング本体に対するその検出可能な段階位置において側方に傾斜可能でありかつ／または圧下可能であり、それにより各スイッチ関連機能の作動を可能にする作動装置。
【請求項２】
使用者の手の一本の指によって作動可能でありかつディスプレイスクリーンを具備するかまたは遠く離れたディスプレイスクリーンと通信する機能的装置における機能の制御のために設計される作動装置であって、作動装置がリング本体および制御要素を有し、前記制御要素がリング本体の周辺区域の周りに回転可能に取付けられた回転可能なホイールまたはローラ本体として形成される作動装置において、前記制御要素が前記リング本体の周りに段階的に移動可能であり、一対の側方スイッチが制御要素の両側に設置され、前記制御要素が、リング本体に対するその検出可能な段階位置において圧下可能であり、それにより各スイッチ関連機能、または制御要素の検出可能な段階位置において作動可能な前記側方スイッチの一方または他方の作動を可能にする作動装置。
【請求項３】
前記リング本体が装置使用者の手の一本の指の上に設置されるような大きさであり、装置がその回転、傾斜または圧下による前記制御要素の操作が前記手の他の指を使用することによって可能にされるように設計されている請求項１に記載された作動装置。
【請求項４】
前記リング本体が装置使用者の手の一本の指の上に設置されるような大きさであり、装置がその回転、傾斜または圧下による前記制御要素の操作が前記手の他の指を使用することによって可能にされるように設計されている請求項２に記載された作動装置。
【請求項５】
前記リング本体が手の人指し指の前方区域に嵌装されるような大きさであり、それにより前記操作が手の親指によって可能になる請求項３または４に記載された作動装置。
【請求項６】
前記リング本体が自動車の操向ホイールまたは作動レバー上に設置されるような大きさであり、装置がその回転、傾斜または圧下による前記制御要素の操作が制御要素にもっとも近い使用者の手の指を使用することにより可能になるように設計されている請求項１または２に記載された作動装置。
【請求項７】
段階的移動が前記接触部材の接触位置における制御要素と一体の接触部材との段階的連続的電気的接触を可能にするリング部材上の第１ばね負荷接触装置を使用して検出可能であり、前記接触部材がリング部材上に第１接触装置を備えた前記摺動接触のための摺動接触装置を有する請求項１から６のいずれか一項に記載された作動装置。
【請求項８】
制御要素の傾斜運動が前記摺動接触装置と摺動接触部材の側方運動を通じて前記第１接触装置に隣接するリング部材上の一対の第２接触装置の一方との間の付加的電気的接触を生ずる請求項１に記載された作動装置。
【請求項９】
制御要素の圧下運動が前記接触部材上の接触位置における制御要素と一体の接触部材との段階的電気的接触を可能にするリング部材上の第２ばね負荷接触装置を使用して検出可能であり、前記接触部材がリング部材上に前記第１接触装置を備えた摺動接触のための前記摺動接触装置を使用する請求項７または８に記載された作動装置。
【請求項１０】
第１接触装置が回路板上に設置された電流伝導通路であり、前記第１ばね負荷接触装置が回路板と電気的に接触している請求項７から９のいずれか一項に記載された作動装置。
【請求項１１】
第２接触装置が前記第１接触装置に隣接する回路板上に設置された電流伝導通路であり、前記第２ばね負荷接触装置が回路板と電気的に接触している請求項７から１０のいずれか一項に記載された作動装置。
【請求項１２】
段階的移動が前記接触部材の各接触位置においてリング部材上の接触部材との段階的連続的電気的接触を可能にする接触要素上のばね負荷摺動接触装置を使用して検出可能であり、前記接触部材がリング部材の周辺区域の周りに延長する回路板と一体である請求項１から６のいずれか一項に記載された作動装置。
【請求項１３】
制御要素が前記回路板に連結された一組のひずみゲージを備えたバーに結合され、前記バーが回路板の周辺に間隔をおいて設置され、制御要素の傾斜運動がひずみゲージの反応または測定不平衡を生ずる請求項１１に記載された作動装置。
【請求項１４】
制御要素が周辺にその制御要素の圧下運動の際スイッチ機能を生ずる弾性的に圧下可能な領域を有し、それゆえ前記領域に設置された圧下接触要素の間の電気的接触を生ずる請求項７，８，１２または１３のいずれか一項に記載された作動装置。
【請求項１５】
使用者の手の一本の指によって作動可能でありかつディスプレイスクリーンを具備するかまたは遠く離れたディスプレイスクリーンと通信する機能的装置における機能の制御のために設計される作動装置であって、作動装置はリング本体および制御要素を有し、前記リング本体は装置使用者の手の一本の指に設置されるような大きさにされ、装置は前記制御要素の操作が前記手の他の指を使用することにより実施されるように設計され、前記制御要素が前方および後方に段階的に移動可能な摺動キーとして形成され、前記キーがいかなる段階位置においても各スイッチ機能を生ずるため中央圧下、前方傾斜、後方傾斜および側方傾斜から選択された作用を通して選択的に作動可能である作動装置。
【請求項１６】
使用者の手の一本の指によって作動可能でありかつディスプレイスクリーンを具備するかまたは遠く離れたディスプレイスクリーンと通信する機能的装置における機能の制御のために設計される作動装置であって、作動装置はリング本体および制御要素を有し、前記リング本体は装置使用者の手の一本の指に設置されるような大きさにされ、装置は前記制御要素の操作が前記手の他の指を使用することにより実施されるように設計され、前記制御要素が各スイッチ機能を生ずるため特殊な点において圧下可能な段階的に回転可能なリング部材として形成され、前記リング部材がその中心位置からの変位を感知するための偏倚感知装置を有する非回転キーを包囲する作動装置。
【請求項１７】
容量センサが制御要素の接触面に設置される請求項１から１６のいずれか一項に記載された作動装置。
【請求項１８】
作動装置が機能的装置と無線通信する請求項１から１６のいずれか一項に記載された作動装置。
【請求項１９】
前記リング本体が手の人指し指の前方区域に嵌合するような寸法にされ、それにより前記操作が手の親指によって可能になる請求項１５または１６に記載された作動装置。
【国際調査報告】
2004511864.tif 000029
2004511864.tif 000030
2004511864.tif 000031